(57)【要約】【課題】左右の膝に負担をかけずにＯ脚を矯正できるようにする。【解決手段】基台部材１０の表面には支持板２０Ｌ及び２０Ｒが設けられている。支持板２０Ｌ及び２０Ｒの上端部には足載せ板３０Ｌ及び３０Ｒが支持されている。足載せ板３０Ｌ及び３０Ｒの端部３１Ｌ及び３１Ｒ同士は向かい合っている。足載せ板３０Ｌ、３０Ｒと支持板２０Ｌ、２０Ｒは軸部材４０Ｌ、４０Ｒにより連結されている。基台部材１０の表面と足載せ板３０Ｌ、３０Ｒとの間にはスプリング５０Ｌ、５０Ｒが介挿されている。スプリング５０Ｌ、５０Ｒは、足載せ板３０Ｌ、３０Ｒに端部３１Ｌ、３１Ｒを持ち上げる方向の付勢力を付与する。【選択図】図１
2014054460.tif 000002
【特許請求の範囲】
【請求項１】
床の上に置かれる基台部材と、
各々が板状をなす第１及び第２の足載せ板であって、各々の一の端部が前記基台部材の上方における前記床と平行な方向に離間した２つの軸を回動軸として回動可能であり且つ各々の前記一の端部に対向する端部が各々の回動軸の間においてお互いに向かい合うように支持された第１及び第２の足載せ板と、
前記第１の足載せ板の前記一の端部に対向する端部を上げる方向に付勢力を与える第１の付勢部材と、
前記第２の足載せ板の前記一の端部に対向する端部を上げる方向に付勢力を与える第２の付勢部材と、
前記第１の足載せ板の回動の範囲を所定の範囲内に規制する第１の規制部材と、
前記第２の足載せ板の回動の範囲を所定の範囲内に規制する第２の規制部材と
を備えるトレーニング装置。
【請求項２】
前記付勢部材の付勢力を調整する調整部材を具備することを特徴とする請求項１に記載のトレーニング装置。
【発明の詳細な説明】
【技術分野】
【０００１】
この発明は、Ｏ脚を矯正する技術に関する。
【背景技術】
【０００２】
Ｏ脚を矯正する技術が各種提案されている。この種の技術を開示した文献として、特許文献１及び２がある。特許文献１に開示された技術は、左脚の膝と左脚の膝を揃えた状態における両足の膝周りにバンドを一周して止め、左脚の腓骨小頭部と右脚の腓骨小頭部をバンドの内側のクッション部材により押圧する、というものである。特許文献２に開示された技術は、複数枚の矩形布を重ねた包被布により左脚の膝下部分と右脚の膝下部分を個別に覆い、包被布の外側にベルトを巻回して両脚を一体的に締め込む、というものである。
【先行技術文献】
【特許文献】
【０００３】
【特許文献１】特開２０００−２４５７５９号公報
【特許文献２】特開２０００−３１６８９０号公報
【発明の概要】
【発明が解決しようとする課題】
【０００４】
しかしながら、特許文献１及び２の技術の場合、左右の膝に外的圧力を強制的に加えるため、脚に負担がかかるという問題がある。
【０００５】
本発明は、このような課題に鑑みてなされたものであり、膝に負担をかけずにＯ脚を矯正できるようにすることを目的とする。
【課題を解決するための手段】
【０００６】
上記課題を解決するため、本発明は、床の上に置かれる基台部材と、各々が板状をなす第１及び第２の足載せ板であって、各々の一の端部が前記基台部材の上方における前記床と平行な方向に離間した２つの軸を回動軸として回動可能であり且つ各々の前記一の端部に対向する端部が各々の回動軸の間においてお互いに向かい合うように支持された第１及び第２の足載せ板と、前記第１の足載せ板の前記一の端部に対向する端部を上げる方向に付勢力を与える第１の付勢部材と、前記第２の足載せ板の前記一の端部に対向する端部を上げる方向に付勢力を与える第２の付勢部材と、前記第１の足載せ板の回動の範囲を所定の範囲内に規制する第１の規制部材と、前記第２の足載せ板の回動の範囲を所定の範囲内に規制する第２の規制部材とを備えるトレーニング装置を提供する。
【０００７】
本発明では、トレーニングを行う利用者は、自身の左足及び右足をトレーニング装置の足載せ板の上に載せてその上に立つ。利用者が足載せ板の上に立つと、足載せ板はスプリングの付勢力に抗って下に回動し、足載せ板が基台部材と略平行になる。この状態において、利用者が、等張性運動と等尺性運動の双方を含む運動を行うと、利用者の内転筋が鍛えられる。よって、利用者は、このトレーニング装置を用いた運動を継続的に行うことにより、Ｏ脚を矯正することができる。
【図面の簡単な説明】
【０００８】
【図１】本発明の一実施形態であるトレーニング装置の正面図である。
【図２】図１を矢印Ａ方向から見た図である。
【図３】図１を矢印Ｂ方向から見た図である。
【図４】図１を矢印Ｃ方向から見た図である。
【図５】図１を矢印Ｄ方向から見た図である。
【図６】本発明の一実施形態におけるトレーニング装置の利用方法を示す図である。
【発明を実施するための形態】
【０００９】
以下、図面を参照しつつ本発明の実施形態について説明する。図１は、本発明の一実施形態であるトレーニング装置１の正面図である。図２は、図１を矢印Ａ方向から見た図（左側面図）である。図３は、図１を矢印Ｂ方向から見た図（右側面図）である。図４は、図１を矢印Ｃ方向から見た図（表面図）である。図５は、図１を矢印Ｄ方向から見た図（裏面図）である。このトレーニング装置１は、基台部１０の裏面１１Ｄを下にして床の上に置いてＯ脚を矯正するトレーニングを行うためのものである。
【００１０】
図１、図２、図３、図４、及び図５に示すように、トレーニング装置１は、左右幅Ｗ１（例えば、Ｗ１＝４０ｃｍ）、高さＨ１（例えば、Ｈ１＝１０ｃｍ）、前後幅Ｄ１（例えば、Ｄ１＝３０ｃｍ）の寸法を有している。トレーニング装置１の基台部材１０は、表面１１Ｕ、裏面１１Ｄ、側面１１Ｆ、１１Ｂ、１１Ｌ、及び１１Ｒに囲まれた幅薄な板状をなしている。基台部材１０における幅Ｄ１方向の真ん中には表面１１Ｕおよび裏面１１Ｄ間を貫く２つのねじ穴１２Ｌ及び１２Ｒがある。図５に示すように、２つのねじ穴１２Ｌ及び１２ＲはＷ１方向に離間している。
【００１１】
基台部材１０の表面１１Ｕの上方には足載せ板３０Ｌ及び３０Ｒがあり、各板３０Ｌ及び３０Ｒにおける一の端部と基台部材１０の表面１１Ｕとの間には支持板２０Ｌ及び２０Ｒが介在している。足載せ板３０Ｌ及び３０Ｒは、同じ寸法を持った板状の部材である。足載せ板３０Ｌ及び３０Ｒは、各々の一の端部が基台部材１０の表面１１Ｕの上方における幅Ｗ１方向（基台部１０を床の上に置いた場合における床と平行な方向）に離間した２つの軸部材４０Ｌ、４０Ｒを回動軸として回動可能であり且つ各々の一の端部に対向する端部が各々の回動軸の間においてお互いに向かい合うようにして支持板２０Ｌ及び２０Ｒに支持されている。
【００１２】
より具体的に説明すると、基台部材１０の表面１１Ｕ上には支持板２０Ｌ及び２０Ｒの下端部が固定されている。支持板２０Ｌは、基台部材１０の表面１１Ｕにおけるねじ穴１２Ｌよりも側面１１Ｌ側に離れた位置から上方に向かって起立している。支持板２０Ｒは、基台部材１０の表面１１Ｕにおけるねじ穴１２Ｒよりも側面１１Ｒ側に離れた位置から上方に向かって起立している。支持板２０Ｌ及び２０Ｒは幅Ｗ１方向に平行対面している。
【００１３】
図２および図４に示すように、支持板２０Ｌの上端部における幅Ｄ１方向の真ん中の位置には凸部２２Ｌが設けられている。凸部２２Ｌは円弧状に湾曲している。支持板２０Ｌの上端における凸部２２Ｌを間に挟んだ前後の各位置には筒状部２３ＦＬ及び２３ＢＬが設けられている。筒状部２３ＦＬには同部２３ＦＬ内を幅Ｄ１方向に貫く孔が設けられている。筒状部２３ＢＬには同部２３ＢＬ内を幅Ｄ１方向に貫く孔が設けられている。筒状部２３ＦＬ及び２３ＢＬの内周面と凸部２２Ｌの内周面は面一になっている。
【００１４】
図３および図４に示すように、支持板２０Ｒの上端部における幅Ｄ１方向の真ん中の位置には凸部２２Ｒが設けられている。凸部２２Ｒは円弧状に湾曲している。支持板２０Ｒの上端における凸部２２Ｒを間に挟んだ前後の各位置には筒状部２３ＦＲ及び２３ＢＲが設けられている。筒状部２３ＦＲには同部２３ＦＲ内を幅Ｄ１方向に貫く孔が設けられている。筒状部２３ＢＲには同部２３ＢＲ内を幅ＷＤ１方向に貫く孔が設けられている。筒状部２３ＦＲ及び２３ＢＲの内周面と凸部２２Ｒの内周面は面一になっている。
【００１５】
図２および図４に示すように、足載せ板３０Ｌの一方の端部における幅Ｄ１方向の真ん中の位置には凸部３２Ｌが設けられている。凸部３２Ｌは円弧状に湾曲している。凸部３２Ｌの幅Ｄ１方向の寸法と凸部２２Ｌの幅Ｄ１方向の寸法は同じである。足載せ板３０Ｌにおける凸部３２Ｌから前後に離れた各位置には筒状部３３ＦＬ及び３３ＢＬが設けられている。筒状部３３ＦＬには同部３３ＦＬを幅Ｄ１方向に貫く孔が設けられている。筒状部３３ＢＬには同部３３ＢＬを幅Ｄ１方向に貫く孔が設けられている。
【００１６】
図３および図４に示すように、足載せ板３０Ｒの一方の端部における幅Ｄ１方向の真ん中の位置には凸部３２Ｒが設けられている。凸部３２Ｒは円弧状に湾曲している。凸部３２Ｒの幅Ｄ１方向の寸法と凸部２２Ｒの幅Ｄ１方向の寸法は同じである。足載せ板３０Ｒにおける凸部３２Ｒから前後に離れた各位置には筒状部３３ＦＲ及び３３ＢＲが設けられている。筒状部３３ＦＲには同部３３ＦＲを幅Ｄ１方向に貫く孔が設けられている。筒状部３３ＢＲには同部３３ＢＲを幅Ｄ１方向に貫く孔が設けられている。
【００１７】
足載せ板３０Ｌと支持板２０Ｌは、筒状部３３ＦＬ及び３３ＢＬの各々と凸部３２Ｌとの間に筒状部２３ＦＬ及び２３ＢＬを挟むとともに凸部２２Ｌの端面２９Ｌと凸部３２Ｌの端面３９Ｌとを付き合わせるようにして嵌合されており、筒状部３３ＦＬ、２３ＦＬ、２３ＢＬ、及び３３ＢＬの孔に軸部材４０Ｌが挿通されている。
【００１８】
足載せ板３０Ｒと支持板２０Ｒは、筒状部３３ＦＲ及び３３ＢＲの各々と凸部３２Ｒとの間に筒状部２３ＦＲ及び２３ＢＲを挟むとともに凸部２２Ｒの端面２９Ｒと凸部３２Ｒの端面３９Ｒとを付き合わせるようにして嵌合されており、筒状部３３ＦＲ、２３ＦＲ、２３ＢＲ、及び３３ＢＲの孔に軸部材４０Ｒが挿通されている。
【００１９】
足載せ板３０Ｌは、支持板２０Ｌによって支持されている側の端部から右斜め上方に向かって延在している。足載せ板３０Ｒは、支持板２０Ｒによって支持されている側の端部から左斜め上方に向かって延在している。足載せ板３０Ｌにおける支持板２０Ｌに支持されている側と反対側の端部３１Ｌと足載せ板３０Ｒにおける支持板２０Ｒに支持されている側と反対側の端部３１Ｒは僅かな間隔をあけてお互いに向かい合っている。
【００２０】
軸部材４０Ｌの外周面は、筒状部３３ＦＬ、２３ＦＬ、２３ＢＬ、及び３３ＢＬ内の孔の内周面上を摺動し得る程度の弱い摩擦力を持ってこれらの面に接している。このため、足載せ板３０Ｌは軸部材４０Ｌを回動軸として回動し得る。軸部材４０Ｒの外周面は、筒状部３３ＦＲ、２３ＦＲ、２３ＢＲ、及び３３ＢＲ内の孔の内周面上を摺動し得る程度の弱い摩擦力を持ってこれらの面に接している。このため、足載せ板３０Ｒは軸部材４０Ｒを回動軸として回動し得る。
【００２１】
図１および図５に示すように、基台部材１０のねじ穴１２Ｌにはねじ６０Ｌが累合されている。基台部材１０のねじ穴１２Ｒにはねじ６０Ｒが累合されている。ねじ６０Ｌと足載せ板３０Ｌとの間にはスプリング５０Ｌが介挿されている。ねじ６０Ｒと足載せ板３０Ｒとの間にはスプリング５０Ｒが介挿されている。スプリング５０Ｌは、足載せ板３０Ｌに足載せ板３０Ｌの端部３１Ｌを上げる方向の付勢力を与える。スプリング５０Ｒは、足載せ板３０Ｒに足載せ板３０Ｒの端部３１Ｒを上げる方向の付勢力を与える。
【００２２】
ここで、トレーニング装置１における凸部２２Ｌ、２２Ｒ、３２Ｌ、及び３２Ｒは、スプリング５０Ｌ及び５０Ｒの付勢力による足載せ板３０Ｌ及び３０Ｒの回動の範囲を足載せ板３０Ｌ及び３０Ｒと基台部材１０とが成す角度θがθ≦θＢＡＳＩＳ（例えば、θＢＡＳＩＳ＝１５度）となる範囲内に規制する規制部材としての役割を果たす。
【００２３】
より具体的に説明すると、トレーニング装置１では、足載せ板３０Ｌが端部３１Ｌを下げる方向に動くと凸部２２Ｌと凸部３２Ｌの距離が広がり、足載せ板３０Ｌが端部３１Ｌを上げる方向に動くと凸部２２Ｌと凸部３２Ｌの距離が狭まる。そして、凸部２２Ｌ及び凸部３２Ｌは足載せ板３０Ｌがθ＝θＢＡＳＩＳとなる位置において当接する。同様に、トレーニング装置１では、足載せ板３０Ｒが端部３１Ｒを下げる方向に動くと凸部２２Ｒと凸部３２Ｒの距離が広がり、足載せ板３０Ｒが端部３１Ｒを上げる方向に動くと凸部２２Ｒと凸部３２Ｒの距離が狭まる。そして、凸部２２Ｒ及び凸部３２Ｒは足載せ板３０Ｒがθ＝θＢＡＳＩＳとなる位置において当接する。このため、足載せ板３０Ｌ及び３０Ｒの回動は、角度θが基準角度θＢＡＳＩＳより広くならないように規制される。
【００２４】
また、トレーニング装置１におけるねじ６０Ｌ及び６０Ｒは、スプリング５０Ｌ及び５０Ｒの付勢力を調整する調整部材としての役割を果たす。より具体的に説明すると、トレーニング装置１では、ねじ穴１２Ｌ内におけるねじ６０Ｌの累合量が大きくなるとねじ６０Ｌと足載せ板３０Ｌの間の距離は長くなり、その分だけねじ６０Ｌの弾性エネルギーは小さくなる。また、トレーニング装置１では、ねじ穴１２Ｒ内におけるねじ６０Ｒの累合量が小さくなるとねじ６０Ｒと足載せ板３０Ｒの間の距離は短くなり、その分だけねじ６０Ｒの弾性エネルギーは大きくなる。このため、ねじ６０Ｌ及び６０Ｒを締めるほどスプリング５０Ｌ及び５０Ｒの付勢力は弱くなり、ねじ６０Ｌ及び６０Ｒを緩めるほどスプリング５０Ｌ及び５０Ｒの付勢力は強くなる。
【００２５】
以上が、本実施形態の構成の詳細である。本実施形態の効果は次のとおりである。
第１に、本実施形態によると、左右の脚に外的圧力を加えることなくＯ脚を矯正することができる。図６は、トレーニング装置１の使ったトレーニングの仕方を示す図である。図６に示すように、トレーニングを行う利用者Ｙは、自身の左足及び右足を足載せ板３０Ｌ及び３０Ｒの上に載せてそれらの上に立つ。利用者Ｙが足載せ板３０Ｌ及び３０Ｒの上に立つと、足載せ板３０Ｌ及び３０Ｒはスプリング５０Ｌ及び５０Ｒの付勢力に抗って下に回動し、足載せ板３０Ｌ及び３０Ｒが基台部材１０と略平行になる。この状態において、利用者Ｙは、等張性運動と等尺性運動の双方を含む運動（より具体的には、足載せ板３０Ｌ及び３０Ｒを上方に持ちあげる力に抗って膝関節を内側に動かし、膝関節の位置を保つように内転筋を緊張させ続ける運動）を行う。利用者がこのような運動をトレーニング装置１の足載せ板３０Ｌ及び３０Ｒ上で行うと、利用者Ｙの内転筋が鍛えられる。よって、利用者Ｙは、このトレーニング装置１を用いた運動を継続的に行うことにより、Ｏ脚を矯正することができる。
【００２６】
第２に、本実施形態では、スプリング５０Ｌ及び５０Ｒの付勢力を調整する部材であるねじ６０Ｌ及び６０Ｒが設けられている。利用者Ｙは、このねじ６０Ｌ及び６０Ｒの操作により、自身が足載せ板３０Ｌ及び３０Ｒの上に載ったときに足載せ板３０Ｌ及び３０Ｒが台座部材の表面１１Ｕと平行になるようにスプリング５０Ｌ及び５０Ｒの付勢力を調整することができる。
【００２７】
以上、本発明の一実施形態について説明したが、かかる実施形態に以下の変形を加えてもよい。
（１）上記実施形態では、足載せ板３０Ｌ及び３０Ｒは、支持板２０Ｌ及び２０Ｒの上端部に支持されていた。しかし、足載せ板３０Ｌ及び３０Ｒを支持板２０Ｌ及び２０Ｒにおける上端部よりも下の部位により支持してもよい。
【００２８】
（２）上記実施形態において、調整部材はねじ６０Ｌ及び６０Ｒである必要はない。たとえば、利用者Ｙの操作により伸縮する伸縮部材の下端面を基台部材１０の上面に固定し、その伸縮部材の上端面にスプリング５０Ｌ、５０Ｒの下端を固定するようにしてもよい。また、この伸縮部材をスプリング５０Ｌ、５０Ｒの上端と足載せ板３０Ｌ、３０Ｒの下面との間に介挿してもよい。
【００２９】
（３）上記実施形態において、スプリング５０Ｌ及び５０Ｒをゴムなどの他の弾性体やエアクッションにより置き換えてもよい。
【００３０】
（４）上記実施形態では、スプリング５０Ｌ及び５０Ｒは足載せ板３０Ｌ及び５０Ｒの下に設けられていた。しかし、足載せ板３０Ｌの凸部３２Ｌと支持板２０Ｌの凸部２２Ｌの間と足載せ板３０Ｒの凸部３２Ｒと支持板２０Ｒの凸部２２Ｒの間にスプリング５０Ｌ及び５０Ｒと同じ役割を果たす部材（例えば、板バネ）を介挿してもよい。
【００３１】
（５）上記実施形態では、スプリング５０Ｌの付勢力とスプリング５０Ｒの付勢力を個別の調整部材（ねじ６０Ｌ及び６０Ｒ）により調整するようになっていた。しかし、スプリング５０Ｌの付勢力とスプリング５０Ｒの付勢力を一つの調整部材により調整するようにしてもよい。例えば、スプリング５０Ｌの下端とスプリング５０Ｒの下端を一枚の板の上面に固定し、この板の下にねじの上端を固定し、このねじを基台部材１０のねじ穴に累合できるようにするとよい。
【００３２】
（６）上記実施形態では、足載せ板３０Ｌと支持板２０Ｌ、および足載せ板３０Ｒと支持板２０Ｒは、所謂ヒンジ機構により連結されていた。しかし、足載せ板３０Ｌと支持板２０Ｌおよび足載せ板３０Ｒと支持板２０Ｒを、他の機構（たとえば、支柱と足載せ板とをゴムなどの弾性体により連結する機構）により連結してもよい。
【００３３】
（７）上記実施形態では、足載せ板３０Ｌ及び３０Ｒは支持板２０Ｌ及び２０Ｒにより支持されていた。しかし、足載せ板３０Ｌ及び３０Ｒを支持する部材は板状のものである必要はない。例えば、足載せ板３０Ｌと足載せ板３０Ｒを２本ずつの柱により支持してもよい。
【符号の説明】
【００３４】
１…トレーニング装置、１０…基台部材、１２…ねじ穴、２０…支持板、３０…足載せ板、４０…軸部材、５０…スプリング、６０…ねじ。
【図１】
2014054460.tif 000003
【図２】
2014054460.tif 000004
【図３】
2014054460.tif 000005
【図４】
2014054460.tif 000006
【図５】
2014054460.tif 000007
【図６】
2014054460.tif 000008